(57)【特許請求の範囲】
【請求項１】
ハウジングと、
入口ポートと、
出口ポートと、
前記ハウジングの内部に形成され、前記入口ポートに流体連通する第一室と、
前記ハウジングの内部に形成され、前記出口ポートに流体連通する第二室と、
前記第一室内の圧力が第一圧力を超えると前記第一室内の流体を前記第二室内へ排出させる逃がし弁機構と、
を備え、
前記逃がし弁機構の少なくとも一部が前記第二室の内部に位置する弁装置において、
前記第二室内の圧力が大気圧に等しいときに、前記ハウジングの外部の大気を、前記出口ポートを通らずに前記第二室内に流入させることが可能な通気路を有する、
弁装置。
【請求項２】
前記第二室から前記出口ポートへ流れる流体が通る出口通路と、
前記出口通路の内壁面に対して滑らかに接続するガイド面を有し、前記第二室の内部に向かって突出するガイド壁と、
を備える請求項１に記載の弁装置。
【請求項３】
前記第二室から前記出口ポートへ流れる流体が通る出口通路を備え、
前記第二室と前記出口通路との境界部分において、流体の流れ方向に対して垂直な流路断面積が、前記第二室に近いほど大きくなる請求項１に記載の弁装置。
【請求項４】
前記ハウジングは、前記第二室の内部空間に対して開口する通気口及び排出口を有し、
前記通気路は、前記通気口を介して前記第二室の内部空間につながり、
前記出口ポートは、前記排出口を介して前記第二室の内部空間につながり、
前記通気口は、前記逃がし弁機構を介して、前記排出口と反対側の位置にある請求項１から請求項３のいずれか一項に記載の弁装置。
【請求項５】
前記第二室から前記出口ポートへ流れる流体が通る出口通路を備え、
前記逃がし弁機構は、前記第二室の内部に位置するばねを備え、
前記出口通路と前記第二室との境界と前記ばねとの距離が、前記出口通路の内径以上である請求項１から請求項４のいずれか一項に記載の弁装置。
【請求項６】
前記第二室内の圧力が大気圧より高くなったときに前記通気路を遮断する逆止弁を備える請求項１から請求項５のいずれか一項に記載の弁装置。
【請求項７】
前記第二室内の流体が前記通気路を通って前記ハウジングの外部へ流出することを防止する逆止弁を備える請求項１から請求項５のいずれか一項に記載の弁装置。
【請求項８】
前記逆止弁は、弁座と、前記弁座に接する閉位置と前記弁座から離れた開位置との間を移動可能な可動部材とを備え、
鉛直線に対して前記弁装置が所定の向きにあるときに、重力によって前記可動部材が前記開位置に保持される請求項６または請求項７に記載の弁装置。
【請求項９】
前記逆止弁は、弁座と、前記弁座に接する閉位置と前記弁座から離れた開位置との間を移動可能な可動部材とを備え、
前記可動部材は、水に浮くことが可能である請求項６から請求項８のいずれか一項に記載の弁装置。
【請求項１０】
貯湯タンクと、
前記貯湯タンクに対して接続された請求項１から請求項９のいずれか一項に記載の弁装置と、
を備える貯湯式給湯機。
【発明の詳細な説明】
【技術分野】
【０００１】
本発明は、弁装置及び貯湯式給湯機に関する。
【背景技術】
【０００２】
下記特許文献１に開示された逃がし弁（１）は、以下のように構成される。大気を弁本体（１０）に吸入するための吸気通路（４５）が揚弁軸（４０）内に設けられる。吸気弁（７０）は、通常時は吸気通路（４５）を閉じ、一次側の圧力が設定負圧以下になった異常時には吸気通路（４５）を自動的に開く。逃がし弁（１）は、同文献の図１１に示されるように、吸気弁（７０）が下側になる姿勢で給湯装置に組み込まれる。したがって、通常時は、同文献の図１０の（Ａ）に示されるように、ボール弁体（７５）が自重により吸気弁口（７２）を閉じた状態となる。なお、括弧内の数字は、同文献での参照符号を示す。
【先行技術文献】
【特許文献】
【０００３】
【特許文献１】日本特開２０１４−１７５９号公報
【発明の概要】
【発明が解決しようとする課題】
【０００４】
上述した従来の逃がし弁（１）において、一次側の圧力が設定圧力を超えると、二次側へ水が排出される。その排出された水の一部が、ばね（３８）及びばね受け（３３）のような金属部品の周囲に、表面張力によって残留する可能性がある。その結果、当該金属部品が腐食して、逃がし弁（１）の機能が損なわれるおそれがある。【０００５】
本発明は、上述のような課題を解決するためになされたもので、逃がし弁機構の部品の腐食を確実に防止することのできる弁装置及び貯湯式給湯機を提供することを目的とする。
【課題を解決するための手段】
【０００６】
本発明の弁装置は、ハウジングと、入口ポートと、出口ポートと、ハウジングの内部に形成され、入口ポートに流体連通する第一室と、ハウジングの内部に形成され、出口ポートに流体連通する第二室と、第一室内の圧力が第一圧力を超えると第一室内の流体を第二室内へ排出させる逃がし弁機構と、を備え、逃がし弁機構の少なくとも一部が第二室の内部に位置する弁装置において、第二室内の圧力が大気圧に等しいときに、ハウジングの外部の大気を、出口ポートを通らずに第二室内に流入させることが可能な通気路を有するものである。
また、本発明の貯湯式給湯機は、貯湯タンクと、貯湯タンクに対して接続された上記弁装置と、を備えるものである。
【発明の効果】
【０００７】
本発明によれば、逃がし弁機構の部品の腐食を確実に防止することが可能となる。
【図面の簡単な説明】
【０００８】
【図１】実施の形態１による弁装置、及び当該弁装置を備えた貯湯式給湯機を示す図である。
【図２】図１に示す弁装置の背面図である。
【図３】図１に示す弁装置の側面断面図である。
【図４】図１に示す弁装置の側面断面図である。
【図５】実施の形態２による弁装置の側面断面図である。
【図６】図５に示す弁装置が備える逆止弁を拡大して示す断面図である。
【図７】図５に示す弁装置が備える逆止弁を拡大して示す断面図である。
【図８】実施の形態３による弁装置の側面断面図である。
【図９】実施の形態４による弁装置の側面断面図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１０】
実施の形態１．
図１は、実施の形態１による弁装置１、及び当該弁装置１を備えた貯湯式給湯機１００を示す図である。図１に示すように、貯湯式給湯機１００は、貯湯タンク１０１及び弁装置１を備える。図１では、弁装置１の側面図が示されている。図１は、模式的な図であり、貯湯タンク１０１の縮尺を、弁装置１の縮尺に対して、極端に小さくしている。実際には、貯湯タンク１０１は、弁装置１に比べて、もっと大きい。図示を省略するが、貯湯タンク１０１は、断熱材に覆われるとともに、筐体に収納されている。水道等の水源から水を供給する給水管（図示省略）が貯湯タンク１０１の下部に接続される。貯湯タンク１０１内には、水源水圧が作用する。貯湯式給湯機１００が備える他の機器、例えば、貯湯タンク１０１内の水を加熱するための加熱装置、水の配管、ポンプ、減圧弁、混合弁、熱交換器などは、公知であるため、図示及び説明を省略する。
【００１１】
弁装置１は、ハウジング２、レバー３、入口ポート４、及び出口ポート５を備える。弁装置１は、出口ポート５が鉛直下向きになる姿勢で使用される。入口ポート４は、流路１０２を介して、貯湯タンク１０１の上部に接続されている。出口ポート５には、図示しない排水流路が接続される。弁装置１は、圧力逃がし弁として機能する。
【００１２】
貯湯タンク１０１内の水が加熱されると、水の体積膨張により、貯湯タンク１０１の内圧が上昇する。また、水中に溶存していた空気がガス化して貯湯タンク１０１内の上部に溜まることもある。貯湯タンク１０１の内圧が設定圧力を超えると、弁装置１が「開」となり、体積膨張した分の水及びガス化した空気が、弁装置１を通って系外へ排出される。その結果、貯湯タンク１０１の内圧が低下する。貯湯タンク１０１の内圧が設定圧力以下になると、弁装置１が「閉」となる。
【００１３】
レバー３は、ハウジング２の外側に取り付けられている。レバー３を操作すると、弁装置１を強制的に「開」にすることができる。入口ポート４は、ハウジング２から突出している。出口ポート５は、ハウジング２から突出している。入口ポート４の軸方向は、出口ポート５の軸方向に対して垂直である。本実施の形態において、ハウジング２は、第一ケーシング６及び第二ケーシング７により形成されている。第一ケーシング６及び第二ケーシング７は、複数のねじ８により互いに連結されている。
【００１４】
図２は、図１に示す弁装置１の背面図である。図３は、図１に示す弁装置１の側面断面図である。図３に示すように、第一室９及び第二室１０がハウジング２の内部に形成されている。第一室９は、入口ポート４に流体連通する。第一室９は、入口ポート４から流入した、水のような流体で満たされる。第二室１０は、出口ポート５に流体連通する。第二室１０内の流体すなわち水は、出口ポート５及び上記排水流路を通って、貯湯式給湯機１００の系外へ排出される。
【００１５】
弁装置１は、逃がし弁機構１１を備える。逃がし弁機構１１は、第一室９内の圧力が第一圧力を超えると、第一室９内の流体を第二室１０内へ排出させる。第一圧力は、弁装置１が「開」となる設定圧力に相当する。第一圧力は、大気圧より高い圧力である。逃がし弁機構１１の少なくとも一部は、第二室１０の内部に位置する。本実施の形態において逃がし弁機構１１は、ダイアフラム１２、コイルばね１３、弁座１４、ばね受け１５、第一弁軸１６、及び弁栓１７を備える。
【００１６】
ダイアフラム１２は、例えば、ゴム製である。ダイアフラム１２は、第一室９と第二室１０との間を隔てる。ダイアフラム１２は、第一室９内の圧力を受けて変位する。弁座１４は、ダイアフラム１２の、第一室９側の面に取り付けられている。ばね受け１５は、ダイアフラム１２の、第二室１０側の面に取り付けられている。コイルばね１３は、第二室１０の内部に位置する。コイルばね１３は、ばね受け１５に接する第一端と、ハウジング２の内壁に接する第二端とを有する。コイルばね１３は、圧縮された状態になっている。コイルばね１３は、ダイアフラム１２を、図３中の左方向へ向けて付勢している。
【００１７】
図４は、図１に示す弁装置１の側面断面図である。図４は、レバー３により弁装置１が強制的に「開」にされた状態を示す。図４に示すように、弁座１４に通路１８が形成されている。通路１８は、第一室９と第二室１０との間を流体連通させる。第一弁軸１６に弁栓１７が取り付けられている。第一弁軸１６は、通路１８を通って、第二室１０の内部へ突出している。
【００１８】
弁栓１７が弁座１４に対して着座すると、弁栓１７が通路１８を封鎖することで弁装置１が「閉」となる。弁栓１７が弁座１４から離れると、第一室９内の流体が通路１８を通って第二室１０内に流入可能になる。すなわち、弁栓１７が弁座１４から離れると、弁装置１が「開」となる。第一弁軸１６及び弁栓１７は、第一弁軸１６の長手方向に移動可能である。第一弁軸１６及び弁栓１７は、図示しないばねにより、弁座１４に対して閉弁方向に付勢されている。この「閉弁方向」とは、図３及び図４中の右方向である。
【００１９】
図３では、弁装置１は「閉」となっている。第二弁軸１９は、第一弁軸１６の先端に対向する先端を有する。弁装置１が「閉」のときには、第一弁軸１６の先端と、第二弁軸１９の先端との間に、隙間２０が形成される。第二弁軸１９は、レバー３の動きに連動して、第二弁軸１９の長手方向に移動する。第二弁軸１９は、第二室１０の内部に向かって突出する図４の位置と、第二室１０の内部から退避した図３の位置とに変位する。
【００２０】
図３の状態から、第一室９内の圧力が上昇したと仮定すると、以下のようになる。ダイアフラム１２が第一室９内の圧力を受けることで、ダイアフラム１２がコイルばね１３の付勢力に抗して図３中の右方向へ移動する。このとき、弁座１４、第一弁軸１６及び弁栓１７もダイアフラム１２と共に図３中の右方向へ移動する。第一弁軸１６の先端が第二弁軸１９の先端に突き当たると、第一弁軸１６及び弁栓１７は、それ以上、図３中の右方向へ移動できなくなる。その状態から第一室９内の圧力がさらに上昇すると、ダイアフラム１２及び弁座１４が図３中の右方向へさらに移動することで、弁栓１７が弁座１４から離れ、弁装置１が「開」となる。その後、第一室９内の流体が通路１８を通って第二室１０内に流入し、第一室９内の圧力が低下する。第一室９内の圧力が低下すると、ダイアフラム１２及び弁座１４がコイルばね１３の付勢力によって図３中の左方向へ移動し、弁装置１が「開」から「閉」に戻る。
【００２１】
レバー３を操作すると、以下のようになる。図４に示すように、第二弁軸１９が突出し、第一弁軸１６が第二弁軸１９に押されて、図４中の左方向へ変位する。その結果、弁栓１７が弁座１４から離れ、弁装置１が強制的に「開」となる。
【００２２】
貯湯式給湯機１００が設置された後、貯湯タンク１０１内を水で満たす操作が行われる。例えば、そのような場合に、図４のように弁装置１を強制的に「開」にする。そうすることで、貯湯タンク１０１内の空気を弁装置１を通して外部へ排出できる。
【００２３】
図３に示すように、本実施の形態の弁装置１は、通気路２１を備える。通気路２１は、第二室１０内の圧力が大気圧に等しいときに、ハウジング２の外部の大気すなわち空気を、出口ポート５を通らずに第二室１０内に流入させることが可能な流路である。本実施の形態において、通気路２１は、ハウジング２の壁を貫通する孔として形成されている。第二室１０の内部空間は、通気路２１を介して、大気に連通している。
【００２４】
本実施の形態の弁装置１は、出口通路２２を備える。出口通路２２は、第二室１０から出口ポート５へ流れる流体すなわち水が通る通路である。筒状部２３は、出口通路２２を形成する。筒状部２３の内周面により出口通路２２が形成される。筒状部２３は、ハウジング２と出口ポート５との間を接続する。
【００２５】
ハウジング２は、通気口２４及び排出口２５を有する。通気口２４及び排出口２５は、第二室１０の内部空間に対して開口する。通気路２１は、通気口２４を介して第二室１０の内部空間につながる。通気口２４は、通気路２１と第二室１０との境界部分に相当する。出口ポート５は、出口通路２２及び排出口２５を介して第二室１０の内部空間につながる。排出口２５は、出口通路２２と第二室１０との境界部分に相当する。
【００２６】
第一室９から第二室１０へ排出された水が、第二室１０内に一時的に残留する可能性がある。例えば、逃がし弁機構１１のコイルばね１３と、ハウジング２の内壁との隙間に、表面張力によって溜まった水が、一時的に残留する可能性がある。本実施の形態であれば、外部の空気が通気路２１を通って第二室１０内に流入することで、そのような残留水が速やかに流れ落ちて、出口通路２２及び出口ポート５へ排出される。このため、第二室１０内に水が長時間滞留することがないので、コイルばね１３のような金属部品が腐食することを確実に防止できる。よって、逃がし弁機構１１の機能が損なわれることを確実に防止できる。
【００２７】
対照的に、通気路２１がないと仮定すると、第二室１０内に残留した水が抜けにくい。例えば、コイルばね１３とハウジング２の内壁との隙間に、表面張力によって溜まった水が、長時間滞留する可能性がある。長時間滞留した水によって、コイルばね１３のような金属部品が腐食し、逃がし弁機構１１の機能が損なわれる可能性がある。
【００２８】
本実施の形態において、通気口２４は、逃がし弁機構１１を介して、排出口２５と反対側の位置にある。例えば、通気口２４は、コイルばね１３を介して、排出口２５と反対側の位置にある。これにより、以下の効果が得られる。弁装置１は、鉛直線に対して所定の向きとなる姿勢で使用される。例えば、弁装置１は、出口ポート５、出口通路２２、及び排出口２５が、第二室１０に対して下側になる姿勢で使用される。この姿勢のとき、通気口２４は、逃がし弁機構１１のコイルばね１３より上側に位置する。よって、通気路２１を通って流入する外部の空気は、通気口２４から、逃がし弁機構１１のコイルばね１３より上側の位置へ流入する。その結果、逃がし弁機構１１のコイルばね１３の周囲の水が、滞留することなく、確実に出口ポート５側へ排出される。
【００２９】
本実施の形態では、出口通路２２と第二室１０との境界２６を以下のように定義する。出口通路２２の内周面が全周に渡って形成されている領域の末端を境界２６とする。コイルばね１３と、境界２６との距離をＬ１とする。出口通路２２の内径をＬ２とする。出口通路２２の長手方向に垂直な断面形状が円形でない場合には、出口通路２２の長手方向に垂直な断面積に等しい面積の円の直径を出口通路２２の内径Ｌ２としてもよい。出口通路２２の内径Ｌ２は、出口ポート５の内径より小さい。
【００３０】
コイルばね１３と境界２６との距離Ｌ１が、出口通路２２の内径Ｌ２以上である場合には、以下の効果が得られる。コイルばね１３の周囲に表面張力が水を滞留させる作用が生じにくくなり、コイルばね１３の周囲の水をより確実かつ速やかに出口ポート５側へ排出させることが可能となる。
【００３１】
実施の形態２．
次に、図５から図７を参照して、実施の形態２について説明するが、前述した実施の形態１との相違点を中心に説明し、前述した要素と共通または対応する要素には、同一の符号を付して、重複する説明を簡略化または省略する。
【００３２】
図５は、実施の形態２による弁装置１Ａの側面断面図である。図５に示すように、弁装置１Ａは、通気路２１に対して設けられた逆止弁２７を備える。逆止弁２７は、第二室１０内の圧力が大気圧より高くなったときに通気路２１を遮断する。逆止弁２７は、第二室１０内の流体すなわち水が通気路２１を通ってハウジング２の外部へ流出することを防止する。
【００３３】
図６及び図７は、図５に示す弁装置１Ａが備える逆止弁２７を拡大して示す断面図である。図６に示すように、逆止弁２７は、弁座２８、可動部材２９、及び底壁３０を備える。弁座２８の中央には、開口３１が形成されている。開口３１は、ハウジング２の外部空間に面する。底壁３０には、通気口３２，３３が形成されている。通気口３２，３３は、第二室１０の空間に面する。
【００３４】
可動部材２９は、シール部材２９ａ及びガイド棒２９ｂを備える。ガイド棒２９ｂは、下方向へ突出する。ガイド棒２９ｂは、底壁３０の中央にある通気口３３を貫通している。ガイド棒２９ｂは、通気口３３に対して上下方向に移動可能である。ガイド棒２９ｂが通気口３３に対して上下方向に移動することで、可動部材２９が上下方向に移動するように案内される。シール部材２９ａは、可動部材２９の上面に設置されている。シール部材２９ａは、例えばゴムのような弾性材料で形成されている。
【００３５】
可動部材２９は、シール部材２９ａが弁座２８に接する閉位置と、シール部材２９ａが弁座２８から離れた開位置との間を移動可能である。図６は、逆止弁２７が「開」の状態を示す。図６に示すように、シール部材２９ａが弁座２８から離れていると、ハウジング２の外部の大気すなわち空気が、開口３１、通気路２１、通気口３２，３３を通って、第二室１０内に流入可能である。
【００３６】
シール部材２９ａが弁座２８に接すると、シール部材２９ａが開口３１を封鎖することで逆止弁２７が「閉」となる。図７は、図６に示す逆止弁２７が「閉」の状態を示す。
【００３７】
本実施の形態２によれば、実施の形態１と同じ効果に加えて、以下の効果が得られる。前述したように、貯湯式給湯機１００が設置された後、弁装置１Ａをレバー３により強制的に「開」の状態として、貯湯タンク１０１内を水で満たすために貯湯タンク１０１内に給水する操作が行われる。その操作において、貯湯タンク１０１内が水で満たされると、溢れた水が第一室９から第二室１０へ大量に流入し、第二室１０内に水が充満する可能性がある。逆止弁２７が無いと仮定すると、その際に、第二室１０内の水が通気路２１を通ってハウジング２の外部へ漏出する可能性がある。通気路２１からハウジング２の外部へ漏出した水が、貯湯式給湯機１００の内部に溜まったり、貯湯式給湯機１００の筐体から外部へ染み出したりすることは、好ましくない。これと対照的に、本実施の形態２であれば、第二室１０内の水が通気路２１を通ってハウジング２の外部へ漏出することを、逆止弁２７により確実に防止することが可能となる。
【００３８】
弁装置１Ａは、鉛直線に対して所定の向きとなる姿勢、すなわち図５に示す姿勢で使用される。この姿勢において、逆止弁２７の可動部材２９は、図６に示すように、重力により開位置に保持される。このため、第二室１０内の圧力が大気圧に等しいときには、逆止弁２７が確実に「開」となるので、ハウジング２の外部の空気が第二室１０内により確実に流入可能となる。
【００３９】
可動部材２９の底面には第二室１０内の圧力が作用する。第二室１０内の圧力が大気圧より高くなると、その圧力による力を受けて可動部材２９が上方向に移動することで、逆止弁２７が図７の「閉」の状態になる。
【００４０】
可動部材２９が液体の水に浮くことが可能となるように構成してもよい。すなわち、可動部材２９の比重が液体の水の比重よりも小さくなるように可動部材２９を構成してもよい。これにより、以下の効果が得られる。第二室１０内に水が充満して通気口３２，３３から通気路２１に水が流入すると、その水に可動部材２９が浮かぶことで、可動部材２９が上方向に移動し、逆止弁２７が図７の「閉」の状態になる。このため、逆止弁２７がより迅速かつ確実に「閉」の状態になるので、第二室１０内の水が通気路２１を通ってハウジング２の外部へ漏出することをより確実に防止できる。
【００４１】
実施の形態３．
次に、図８を参照して、実施の形態３について説明するが、前述した実施の形態１との相違点を中心に説明し、前述した要素と共通または対応する要素には、同一の符号を付して、重複する説明を簡略化または省略する。
【００４２】
図８は、実施の形態３による弁装置１Ｂの側面断面図である。図８に示すように、弁装置１Ｂは、第二室１０の内部に向かって突出するガイド壁３４を備える。ガイド壁３４は、出口通路２２と第二室１０との境界部分から、第二室１０の内部に向かって突出する。ガイド壁３４は、第二室１０の内部に位置するガイド面３５を有する。ガイド面３５は、出口通路２２の内壁面に対して滑らかに接続する。ガイド面３５と出口通路２２の内壁面との境界には段差が形成されない。
【００４３】
本実施の形態３であれば、実施の形態１と同じ効果に加えて、以下の効果が得られる。第二室１０内の下部にある水が、ガイド面３５に沿って、より円滑に出口通路２２へ流れることが可能となる。その結果、第二室１０内に水が滞留することをより確実に防止できる。
【００４４】
実施の形態４．
次に、図９を参照して、実施の形態４について説明するが、前述した実施の形態１との相違点を中心に説明し、前述した要素と共通または対応する要素には、同一の符号を付して、重複する説明を簡略化または省略する。
【００４５】
図９は、実施の形態４による弁装置１Ｃの側面断面図である。図９に示すように、弁装置１Ｃでは、出口通路２２と第二室１０との境界部分の内壁面が斜面３６を有する。斜面３６は、出口通路２２の長手方向に対して傾斜している。斜面３６を含む流路部分においては、水の流れ方向に対して垂直な流路断面積が、第二室１０に近いほど大きくなる。すなわち、斜面３６を含む流路部分においては、出口通路２２の長手方向に対して垂直な流路断面積が、第二室１０に近いほど大きくなる。
【００４６】
本実施の形態４であれば、実施の形態１と同じ効果に加えて、以下の効果が得られる。第二室１０内の下部にある水が、斜面３６に沿って、より円滑に出口通路２２へ流れることが可能となる。その結果、第二室１０内に水が滞留することをより確実に防止できる。
【符号の説明】
【００４７】
１，１Ａ，１Ｂ，１Ｃ  弁装置、  ２  ハウジング、  ３  レバー、  ４  入口ポート、  ５  出口ポート、  ９  第一室、  １０  第二室、  １１  逃がし弁機構、  １２  ダイアフラム、  １４  弁座、  １６  第一弁軸、  １７  弁栓、  １８  通路、  １９  第二弁軸、  ２１  通気路、  ２２  出口通路、  ２４  通気口、  ２５  排出口、  ２６  境界、  ２７  逆止弁、  ２８  弁座、  ２９  可動部材、  ３４  ガイド壁、  ３５  ガイド面、  ３６  斜面、  １００  貯湯式給湯機、  １０１  貯湯タンク
【図１】
0006669280.tif 000002
【図２】
0006669280.tif 000003
【図３】
0006669280.tif 000004
【図４】
0006669280.tif 000005
【図５】
0006669280.tif 000006
【図６】
0006669280.tif 000007
【図７】
0006669280.tif 000008
【図８】
0006669280.tif 000009
【図９】
0006669280.tif 000010